(57)【特許請求の範囲】
【請求項１】
押圧操作に応じて移動する移動部材と、
受け部材と、
前記移動部材と前記受け部材との間に介在し、前記移動部材と当接して回転する回転カムと、
を有し、
前記回転カムは、
前記押圧操作に応じて前記移動部材と離間した状態で前記移動部材と一体となって前記受け部材に向けて移動し、前記受け部材に当接した後に、前記移動部材と当接して回転し、当該回転により、前記移動部材の前記押圧操作前の位置に向けた復帰動作が可能な非ロック状態となる第１の回転姿勢から、前記復帰動作が規制されるロック状態となる第２の回転姿勢に切り換わる
押圧操作装置。
【請求項２】
前記受け部材は、第１の弾性部材であり、
前記回転カムは、前記受け部材に当接して当該受け部材から付勢力を受けた状態で、前記移動部材と当接して回転するように構成されている
請求項１に記載の押圧操作装置。
【請求項３】
前記移動部材と前記回転カムを収容し、前記移動部材の移動方向に沿ってスライド溝が形成されたハウジングと、
一端が前記ハウジングに固定され、他端が前記移動部材に固定され、前記押圧操作前の位置に向けて前記移動部材を付勢する第２の弾性部材と、
を有し、
前記回転カムは、前記第１の回転姿勢において前記ハウジングの前記スライド溝に沿って移動可能であり、前記第２の回転姿勢において前記スライド溝の周辺部で係止されるストッパ部を有する
請求項１または請求項２に記載の押圧操作装置。
【請求項４】
少なくとも前記回転カムが前記受け部材に当接したことを条件にオン・オフするスイッチ
を有する請求項１〜３のいずれかに記載の押圧操作装置。
【請求項５】
前記ハウジングは、前記移動部材が前記押圧操作されていない状態で回転操作されると、当該回転操作に応じて所定の仮想軸に中心に回転可能であり、
前記押圧操作装置は、
前記ハウジングの回転位置を検出する検出部を有する
請求項３に記載の押圧操作装置。
【請求項６】
前記受け部材は、板バネである
請求項２に記載の押圧操作装置。
【請求項７】
前記回転カムは、フック部を有し、
前記移動部材の中空部に一端から前記フック部をスナップインにより挿入することで、前記移動部材の移動方向に移動自在、且つ回転自在に引っ掛けられている
請求項１〜６のいずれかに記載の押圧操作装置。
【請求項８】
前記受け部材の周辺に位置する発光部と、
前記移動部材の前記回転カムと反対側の端部に設けられた押圧操作部と
を有し、
前記回転カムは、透明であり、
前記発光部からの光が前記回転カムを介して、前記押圧操作部付近まで達するように構成されている
請求項１〜７のいずれかに記載の押圧操作装置。
【発明の詳細な説明】
【技術分野】
【０００１】
本発明は、車両の運転席周辺等に設けられる押圧操作装置に関するものである。
【背景技術】
【０００２】
ハートカム機構を備え、操作部材を押し込んだ位置でロック状態となり、操作部材を再度押し込むことにより非ロック状態となって、操作部材を突出位置に復帰させるプッシュスイッチ装置がある。
【先行技術文献】
【特許文献】
【０００３】
【特許文献１】実開昭６０−１７５３２号公報
【発明の概要】
【発明が解決しようとする課題】
【０００４】
上述した引用文献１に記載のプッシュスイッチ装置では、ハートカム機構がロックピンを使用しているため操作音が大きいという問題がある。
【０００５】
また、スライダの側面にカム面を設け、ロック状態においてロックピンをスライダの側面に当ててロックをするため、ロック状態おいてスライダに側面方向からの力が継続して加えられ、バランスが悪く、スライダが傾く等の問題があった。
【０００６】
本発明はかかる事情に鑑みてなされたものであり、その目的は、操作音が小さい押圧操作装置を提供することを目的とする。
また、本発明は、ロック状態でのバランスがよい押圧操作装置を提供することを目的とする。
【課題を解決するための手段】
【０００７】
上述した従来技術の問題を解決し上述した目的を達成するために、本発明の押圧操作装置は、押圧操作に応じて移動する移動部材と、受け部材と、前記移動部材と前記受け部材との間に介在し、前記移動部材と当接して回転する回転カムとを有し、前記回転カムは、前記押圧操作に応じて前記移動部材と離間した状態で前記移動部材と一体となって前記受け部材に向けて移動し、前記受け部材に当接した後に、前記移動部材と当接して回転し、当該回転により、前記移動部材の前記押圧操作前の位置に向けた復帰動作が可能な非ロック状態となる第１の回転姿勢から、前記復帰動作が規制されるロック状態となる第２の回転姿勢に切り換わる。
【０００８】
この構成によれば、前記押圧操作による前記移動部材の移動に応じて、前記回転カムが前記受け部材に当接した後に回転をする。すなわち、前記回転カムが前記受け部材に当接する迄の間は、前記回転カムは回転しない。そして、前記回転カムが前記受け部材に当接して、前記回転カムが前記受け部材から摩擦力を受けた状態で前記回転カムが徐々に回転する。そのため、急激な回転による前記回転カムと前記移動部材との間の衝突音を抑えることができる。
【０００９】
好適には本発明の押圧操作装置の前記受け部材は、第１の弾性部材であり、前記回転カムは、前記受け部材に当接して当該受け部材から付勢力を受けた状態で、前記移動部材と当接して回転するように構成されている。
この構成によれば、前記回転カムが前記第１の弾性部材に当接してその弾性力を徐々に受けながら滑らかに回転することができ、上述した急激な回転による前記回転カムと前記移動部材との間の衝突音をより効果的に抑えることができる。
【００１０】
好適には本発明の押圧操作装置は、前記移動部材と前記回転カムを収容し、前記移動部材の移動方向に沿ってスライド溝が形成されたハウジングと、一端が前記ハウジングに固定され、他端が前記移動部材に固定され、前記押圧操作前の位置に向けて前記移動部材を付勢する第２の弾性部材と、を有し、前記回転カムは、前記第１の回転姿勢において前記ハウジングの前記スライド溝に沿って移動可能であり、前記第２の回転姿勢において前記スライド溝の周辺部で係止されるストッパ部を有する。
この構成によれば、ロック状態において、ストッパ部の係止が前記移動部材の移動方向に沿った方向に向けて行われるため、安定した姿勢でロックができる。
また、この構成によれば、押圧操作力が解除された場合に、移動部材を自動的に元に位置に復帰させることができる。
【００１１】
好適には本発明の押圧操作装置の前記ハウジングは、前記移動部材が前記押圧操作されていない状態で回転操作されると、当該回転操作に応じて所定の仮想軸に中心に回転可能であり、前記押圧操作装置は、前記ハウジングの回転位置を検出する検出部を有する。
この構成によれば、押圧操作に加えて回転操作入力が可能になる。
好適には本発明の前記受け部材は、板バネである。
この構成によれば、前記受け部材の高さ管理が容易になると共に、前記回転カムの面で前記受け部材を押圧でき、耐摩耗性が高く、高い耐久性を得ることができる。また、ねじりコイルバネのように回転に伴って捻じれるということがないので、弾性変形後の戻り時に異音が発生しない。
【００１２】
好適には本発明の押圧操作装置の前記スイッチは、前記受け部材が前記回転カムによって押圧される過程でオン・オフする。
【００１３】
好適には本発明の前記回転カムは、フック部を有し、前記移動部材の中空部に一端から前記フック部をスナップインにより挿入することで、前記移動部材に対して前記仮想軸方向に移動自在、且つ回転自在に引っ掛けられている。
この構成によれば、前記回転カムを前記移動部材に容易に取り付けることができる。また、前記回転カムと前記移動部材との間の離間および当接の動作を適切に発揮できる。
【００１４】
好適には本発明の押圧操作装置は、前記受け部材の周辺に位置する発光部と、前記移動部材の前記回転カムと反対側の端部に設けられた押圧操作部とを有し、前記回転カムは、透明であり、前記発光部からの光が前記回転カムを介して前記押圧操作部付近まで達するように構成されている。
この構成によれば、前記回転カムに対して基板側に前記発光部を設けた場合でも、当該発光部からの光を前記押圧操作部付近まで導くことができる。
【発明の効果】
【００１５】
本発明によれば、操作音が小さい押圧操作装置を提供することができる。
また、本発明によれば、ロック状態でのバランスがよい押圧操作装置を提供することができる。
【図面の簡単な説明】
【００１６】
【図１】本発明の実施形態の入力操作システム１の平面図である。
【図２】入力操作ケースに回転操作体と直線操作体とを収容した状態の正面側の構成を説明するための図である
【図３】回転操作体の側面側の外観斜視図である。
【図４】回転操作体の底面側の外観斜視図である。
【図５】回転操作体の分解斜視図である。
【図６】移動部材、回転カムおよび第１の弾性部材との関係を説明するための図である。
【図７】図６に示す断面線Ｂ−Ｂにおける移動部材と回転カムの断面構成図である。
【図８】第２の弾性部材、移動部材およびハウジングの係合関係を説明するための外観斜視図である。
【図９】回転操作体の入力操作ケースに装着された状態の背面側の外観図である。
【発明を実施するための形態】
【００１７】
以下、本発明の実施形態に係る押圧操作装置を説明する。
図１は本実施形態の入力操作システム１の平面図、図２は入力操作ケース３に回転操作体と直線操作体とを収容した状態の正面側の構成を説明するための図である。
【００１８】
図１および図２に示すように、入力操作システム１は、例えば、車両の運転席のハンドルの脇等に配置され、例えば、ヘッドライト等の外部照明の明るさを調整する押圧操作装置２３と、フォグランプ等のオン／オフ操作を行うための直線操作体２５とヘッドライトのオン／オフ操作を行うための操作体２７とを入力操作ケース３に収容して構成されている。
入力操作システム１の正面側に位置する正面パネル板５には、押圧操作装置２３の押圧操作部１２１、直線操作体２５の操作部７０および操作体２７の操作部２８が表れる。
【００１９】
以下、押圧操作装置２３について詳細に説明する。
図３は押圧操作装置２３の側面側の外観斜視図、図４は押圧操作装置２３の底面側の外観斜視図、図５は押圧操作装置２３の分解斜視図、図６は移動部材１２５、回転カム１２９および第１の弾性部材１３１との関係を説明するための図である。図７は図６に示す断面線Ｂ−Ｂにおける移動部材１２５と回転カム１２９の断面構成図、図８は第２の弾性部材１２３、移動部材１２５およびハウジング１２７の係合関係を説明するための外観斜視図である。図９は押圧操作装置２３の入力操作ケース３に装着された状態の背面側の外観図である。
図３〜図８に示すように、押圧操作装置２３は、例えば、押圧操作部１２１、第２の弾性部材１２３、移動部材１２５、ハウジング１２７、回転カム１２９および第１の弾性部材１３１を有する。
【００２０】
ハウジング１２７は、正面パネル板５と基板１３７との間に仮想軸５７を中心に回転可能に支持されている。
図３に示すようにハウジング１２７の一端部は基板１３７と対向して位置している。基板１３７上には第１の弾性部材１３１が固定されている。第１の弾性部材１３１は、例えば、板バネである。
【００２１】
ハウジング１２７の外周には、一端がハウジング１２７に係止され、図８に示すように他端が移動部材１２５の係合部１２５ｂに係止された第２の弾性部材１２３が設けられている。
【００２２】
ハウジング１２７の中空部内には、仮想軸５７に沿って直線移動自在に移動部材１２５が収容されている。
図６に示すように、移動部材１２５は、挿着方向の端部に第１のラチェット係合部１２５ａを有し、押圧操作部１２１に第１の弾性部材１３１に向けた押圧操作力が加えられると、第２の弾性部材１２３の弾性力に抗して回転カム１２９および第１の弾性部材１３１に向けて移動する。
【００２３】
図６に示すように、回転カム１２９は、移動部材１２５と第１の弾性部材１３１との間に介在し、第１のラチェット係合部１２５ａと係合可能（ラチェット結合可能な）な第２のラチェット係合部１２９ａを有する。
回転カム１２９は、図５に示すように、移動部材１２５に対して仮想軸５７方向に移動自在、且つ仮想軸５７を中心として回転自在に移動部材１２５内の段差面１２５ｄに係合し、仮想軸５７方向において移動部材１２５と所定距離以上離間しないように規制する３つのストッパ部１２９ｃを有する。
【００２４】
図７に示すように、ストッパ部１２９ｃは、フック形状をしており、移動部材１２５の第１の弾性部材１３１側の端部から中空部にスナップインにより挿入される。これにより、回転カム１２９が、第１のラチェット係合部１２５ａと第２のラチェット係合部１２９ａとが離間および当接する方向に移動自在、且つ回転自在に移動部材１２５の段差面１２５ｄに引っ掛けられる。
【００２５】
回転カム１２９の第２のラチェット係合部１２９ａは、押圧操作部１２１に押圧操作力が加えられていない状態では、図６に示すように、移動部材１２５の第１のラチェット係合部１２５ａと離間している。また、この状態で、回転カム１２９と第１の弾性部材１３１とは離間している。
【００２６】
図８に示すように、移動部材１２５の係合部１２５ｂには第２の弾性部材１２３の一端部が取り付けられている。また、第２の弾性部材１２３の他端部はハウジング１２７に支持されている。
移動部材１２５は、係合部１２５ｂに加えられる第２の弾性部材１２３の付勢力により、押圧操作部１２１に向けて付勢された状態になっている。押圧操作部１２１は、フックにより移動部材１２５に一体に保持されており、移動部材１２５とは一体となって移動する。
なお、移動部材１２５は回転カム１２９によって上方向の移動が規制されている。図９に示すように、回転カム１２９はロック状態ではスライド溝１２７ｃの両側部１２７ｅで係止され、非ロック状態ではスライド溝１２７ｃの上終端部に当接して上方向の動きが規制される。
【００２７】
移動部材１２５は、押圧操作部１２１に押圧操作力が加えられると、第２の弾性部材１２３の弾性力に抗して回転カム１２９と一体となって第１の弾性部材１３１に向けて移動可能である。
回転カム１２９は、押圧操作部１２１が押圧操作されると、前述したように、その第２のラチェット係合部１２９ａと、移動部材１２５の第１のラチェット係合部１２５ａとの間のラチェット結合により、仮想軸５７を中心に回転し、第１の回転姿勢と第２の回転姿勢とを交互に切り換える。
【００２８】
ここで、第１の回転姿勢は、図９に示すように、回転カム１２９のストッパ部１２９ｂとハウジング１２７のスライド溝１２７ｃとが対向して位置する姿勢であり、回転カム１２９がハウジング１２７内をスライド溝１２７ｃに沿って仮想軸５７方向（押圧操作が行われていない位置）に移動可能な状態（非ロック状態）である。この状態では、押圧操作部１２１への押圧操作力が解除されると、回転カム１２９が移動部材１２５と一体となって、第２の弾性部材１２３の付勢力に応じて、第１の弾性部材１３１から離れる向きに移動する。
【００２９】
一方、第２の回転姿勢は、回転カム１２９のストッパ部１２９ｂがハウジング１２７のスライド溝１２７ｃに対向していなく、スライド溝１２７ｃの両側で係止された状態（ロック状態）である。当該状態では、押圧操作部１２１への押圧操作力が解除された場合に、ストッパ部１２９ｂがスライド溝１２７ｃの両側部１２７ｅで係止されるので、回転カム１２９および移動部材１２５の移動が規制されたロック位置に保持される。
【００３０】
図６に示すように、図３に示す基板１３７上の第１の弾性部材１３１が配置された位置には、プッシュスイッチ８５が設けられている。また、プッシュスイッチ８５の周辺には、ＬＥＤ等の発光部８７が設けられている。
押圧操作装置２３では、例えば、回転カム１２９は透明であり、発光部８７からの光が回転カム１２９、移動部材１２５の中空部を通じて押圧操作部１２１の位置まで達する。
【００３１】
また、図４に示すように、ハウジング１２７の底部１２７ｄには電極１３３が設けられており、基板１３７上に形成された電極パターン１３９と電極１３３との位置関係により、押圧操作部１２１の回転位置が検出される。
押圧操作装置２３は、例えば、押圧操作部１２１が押圧操作されていない状態で、押圧操作部１２１が仮想軸５７を中心として回転操作されると、押圧操作部１２１とハウジング１２７とが一体となって回転し、その回転位置が検出され、当該検出された回転位置に応じた入力処理が行われる。
【００３２】
以下、押圧操作装置２３の動作を説明する。
押圧操作部１２１に押圧操作力が加えられると、第２の弾性部材１２３の弾性力に抗して移動部材１２５が回転カム１２９と一体となって第１の弾性部材１３１に向けて移動する。
このとき、回転カム１２９は、図９に示す第１の回転姿勢であり、回転カム１２９がハウジング１２７内を仮想軸５７に沿って移動可能な状態（非ロック状態）である。
【００３３】
そして、回転カム１２９の下面が第１の弾性部材１３１に当接すると、第１の弾性部材１３１によって回転カム１２９が支持されると共に、移動部材１２５が回転カム１２９に向けて移動し、第１のラチェット係合部１２５ａが第２のラチェット係合部１２９ａに係合する。このとき、第１のラチェット係合部１２５ａの下向きの凸部が第２のラチェット係合部１２９ａの傾斜面を押圧して回転カム１２９に仮想軸５７を中心とした回転力が生じる。
【００３４】
当該回転力により、回転カム１２９が回転して第１の回転姿勢から第２の回転姿勢になり、第１のラチェット係合部１２５ａの凸部と第２のラチェット係合部１２９ａの凹部とが結合し、回転カム１２９が移動部材１２５と一体となって第１の弾性部材１３１を押圧する。
当該第２の回転姿勢において、回転カム１２９のストッパ部１２９ｃがハウジング１２７のスライド溝１２７ｃの両側で係止されたロック状態になる。
【００３５】
その後、押圧操作部１２１への押圧操作力が解除された場合に、上述したように回転カム１２９のストッパ部１２９ｂがスライド溝１２７ｃの両側部１２７ｅで係止されているので、移動部材１２５および回転カム１２９はロック状態となり、第２の弾性部材１２３の弾性力に抗して押圧された位置に保持される。
このとき、移動部材１２５の第１のラチェット係合部１２５ａと回転カム１２９の第２のラチェット係合部１２９ａとは再び離間した状態になる。
【００３６】
次に、押圧操作部１２１に押圧操作力が加えられ得ると、移動部材１２５が回転カム１２９に向けて移動し、第１のラチェット係合部１２５ａと第２のラチェット係合部１２９ａとが結合し、その回転力により回転カム１２９が回転して再び第２の回転姿勢から第１の回転姿勢に戻る。
【００３７】
当該動作を詳細に説明する。
ストッパ部１２９ｂの上面１２９ｂ１が斜面となっており、ハウジング１２７のスライド溝１２７ｃの両側部１２７ｅも斜面となっている。
非ロック状態にある押圧操作部１２１への押圧操作力によって回転カム１２９が第１の弾性部材１３１に近づく方向に移動しストッパ部１２９ｂがスライド溝１２７ｃから出ると、回転カム１２９は、第１のラチェット係合部１２５ａと第２のラチェット係合部１２９ａとが当接して、第１のラチェット係合部１２５ａの凸部と第２のラチェット係合部１２９ａの凹部とが結合する位置まで一旦回転し、ストッパ部１２９ｂはスライド溝１２７ｃの一方の両側部１２７ｅの斜面と対向する。
【００３８】
次に、押圧操作部１２１への押圧操作力が解除されると、回転カム１２９は、第２の弾性部材１２３の付勢力によって第１の弾性部材１３１から離れる方向へ移動し、ストッパ部１２９ｂの上面１２９ｂ１の斜面とハウジング１２７のスライド溝１２７ｃの一方の両側部１２７ｅの斜面が当接することで、回転カム１２９がさらに同じ方向へ回転し、一方の両側部１２７ｅの斜面の終端で止まってロック状態になる。
このとき第１のラチェット係合部１２５ａの凸部と第２のラチェット係合部１２９ａの凹部とがずれた位置で対向する。
この状態で再び押圧操作部１２１への押圧操作力が加わると、回転カム１２９が第１の弾性部材１３１に近づく方向に移動し、第１のラチェット係合部１２５ａと第２のラチェット係合部１２９ａとが当接して、第１のラチェット係合部１２５ａの凸部と第２のラチェット係合部１２９ａの凹部とが結合する位置まで回転カム１２９が一旦回転し、ストッパ部１２９ｂはスライド溝１２７ｃのもう一方の両側部１２７ｅの斜面と対向する。
【００３９】
次に押圧操作部１２１への押圧操作力が解除されると、回転カム１２９は、第２の弾性部材１２３の付勢力によって第１の弾性部材１３１から離れる方向へ移動し、ストッパ部１２９ｂの上面１２９ｂ１の斜面とハウジング１２７のスライド溝１２７ｃのもう一方の両端部１２７ｅの斜面が当接することで、回転カム１２９がさらに同じ方向へ回転し、ストッパ部１２９ｂがスライド溝１２７ｃと対向する位置まで回転する。そして第２の弾性部材１２３の付勢力によってストッパ部１２９ｂがスライド溝１２７ｃ内に入り込んで溝内を上端部まで上昇し、非ロック状態になる。このとき第１のラチェット係合部１２５ａの凸部と第２のラチェット係合部１２９ａの凹部とがずれた位置で対向する。
その後、押圧操作部１２１への押圧操作力の有無に応じて上述した動作が繰り返される。
【００４０】
また、押圧操作装置２３によれば、押圧操作部１２１の押圧操作による移動部材１２５の移動に応じて、回転カム１２９が第１の弾性部材１３１に当接した後に回転をする。すなわち、回転カム１２９が第１の弾性部材１３１に当接する迄の間は、回転カム１２９は回転しない。そして、回転カム１２９が第１の弾性部材１３１に当接して、回転カム１２９が第１の弾性部材１３１から摩擦力を受けた状態で回転カム１２９が徐々に回転するため、急激な回転による回転カム１２９と移動部材１２５との間の衝突音を抑えることができる。
【００４１】
また、押圧操作装置２３によれば、ロック状態において、回転カム１２９のストッパ部１２９ｂがハウジング１２７の底部１２７ｄに係止されるため、係止による力が加わる方向が仮想軸５７と一致し、安定した姿勢でロックができる。
【００４２】
また、押圧操作装置２３によれば、第１の弾性部材１３１として板バネを用いることで、第１の弾性部材１３１の高さ管理が容易になると共に、回転カム１２９の面で押圧でき、耐摩耗性が高く、高い耐久性を得ることができる。また、ねじりコイルバネのように回転に伴って捻じれるということがないので、弾性変形後の戻り時に異音が発生しない。
【００４３】
また、押圧操作装置２３によれば、図７に示すように、ストッパ部１２９ｃをフック形状にし、移動部材１２５の端部から中空部にスナップインにより挿入することで、回転カム１２９を移動部材１２５に容易に取り付けることができる。また、ストッパ部１２９ｃにより、回転カム１２９と移動部材１２５との間の離間および当接の機能を適切に発揮できる。
【００４４】
また、押圧操作装置２３によれば、回転カム１２９を透明にしたことで、回転カム１２９に対して基板１３７側に発光部８７を設けた場合でも、発光部８７からの光を押圧操作部１２１付近に導くことができる。
【００４５】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、押圧操作装置２３を構成する部材の形状等は一例であり、変形可能である。
【産業上の利用可能性】
【００４６】
本発明は、車両の運転席周辺等に設けられる押圧操作装置に適用可能である。
【符号の説明】
【００４７】
１…入力操作システム
３…入力操作ケース
５…正面パネル板
２３…回転操作体
２５…直線操作体
２７…操作体
８５…プッシュスイッチ
８７…発光部
１２１…押圧操作部
１２３…第２の弾性部材
１２５…移動部材
１２７…ハウジング
１２７ａ…外周面
１２７ｃ…スライド溝
１２７ｄ…底部
１２９…回転カム
１２９ａ…第２のラチェット係合部
１２９ｃ…ストッパ部
１３１…第１の弾性部材
１３３…電極
【図１】
0006496598.tif 000002
【図２】
0006496598.tif 000003
【図３】
0006496598.tif 000004
【図４】
0006496598.tif 000005
【図５】
0006496598.tif 000006
【図６】
0006496598.tif 000007
【図７】
0006496598.tif 000008
【図８】
0006496598.tif 000009
【図９】
0006496598.tif 000010